(57)【要約】      （修正有）【課題】下部に飲用水入りのボトルを複数設置し交換を容易にし、ボトル内の飲用水を冷水及び温水タンクに送る系統を無菌且つ構造を単純にしたウォーターサーバを提供する。【解決手段】上部に冷水及び温水タンク２及び４を有し下部に水ストレージ部６を有し、これから飲用水をポンプ７で冷水及び温水タンク２及び４に供給してなり、水ストレージ部６は、飲用水入り小型のボトル８を複数着脱するボトルホルダーと、ボトル８から飲用水をポンプ７で冷水及び温水タンク２及び４に供給する際ボトル８に外気を進入させるエアーインテークユニットとを装備して、これは順次ダストフィルター、飲用水の逆流防止用の逆止弁、深紫外線ＬＥＤ殺菌灯を有して、清浄外気をボトル８内に進入させ、ボトル８内の飲用水と置換して、ポンプ７で市販の飲用水を、冷水タンク２および温水タンク４に供給する。【選択図】図２
0003181180.tif 000002
【実用新案登録請求の範囲】
【請求項１】
上部に冷水タンクおよびその冷水用コックと温水タンクおよびその温水用コックとを有し、下部に水ストレージ部を有して、該水ストレージ部から飲用水をポンプにて、上部の前記冷水タンクおよび前記温水タンクに供給してなるウォーターサーバにおいて、
前記水ストレージ部は、市販の飲用水を収容したボトルを複数着脱自在に装着するボトルホルダーと、複数の前記ボトルから飲用水を前記ポンプにて、前記冷水タンクおよび前記温水タンクに供給する際、前記ボトルに外気を進入させるエアーインテークユニットと、を装備してなり、前記エアーインテークユニットは、上流から下流にかけて順次、ダストフィルター、飲用水の逆流防止用の逆止弁、深紫外線ＬＥＤ殺菌灯を有しいて、外気のダストおよび菌類を除去した清浄外気を、前記ボトル内に進入させて、飲用水と置換することで、前記ポンプにて、飲用水を前記冷水タンクおよび前記温水タンクに供給出来るようにしたことを特徴とするウォーターサーバ。
【請求項２】
前記ボトルホルダーは、市販の飲用水を収容している前記ボトルの口部に着脱自在であり、且つ天板に閉塞状態を保持できる易挿通部を有したボトルキャップと、該ボトルキャップを着した前記ボトルの口部を装着でき、且つエアー進入孔および水導入孔付の気液同軸ボトルインナーを底部に貫通した状態で立設してなるボトル装着部を、複数有したホルダー本体と、でなり、前記ボトル装着部に前記ボトルキャップを着した状態の前記ボトルの口部を装着して、前記ボトルキャップの前記易挿通部に前記気液同軸ボトルインナーを挿通したあと、前記ポンプを作動することで、前記エアー進入孔から前記エアーインテークユニットを通過してなる清浄外気を、前記ボトル内に進入させつつ、前記水導入孔から前記ボトル内の飲用水を、前記気液同軸ボトルインナー内に導入して、これを経由して前記冷水タンクおよび前記温水タンクに、供給出来るようにした請求項１記載のウォーターサーバ。
【請求項３】
前記気液同軸ボトルインナーの前記エアー進入孔の位置は、前記水導入孔よりも高く、且つ前記エアー進入孔と前記水導入孔とは設定距離以上相互に離して、互いに干渉しないようにした請求項１または２記載のウォーターサーバ。
【請求項４】
前記気液同軸ボトルインナーに、これに着脱自在であり且つ前記エアー進入孔と前記水導入孔とを密封するキャップを嵌めてなり、前記ボトル装着部の前記気液同軸ボトルインナーにボトルを装着しない場合に、前記気液同軸ボトルインナーの汚染を防止すると共に、エアーの吸引および他のボトル装着部に装着しているボトルからの飲用水の回り込みを防止する請求項１、２または３記載のウォーターサーバ。
【考案の詳細な説明】
【技術分野】
【０００１】  本考案は、市販の飲用水を収容した各種ボトル内から、その飲用水を必要に応じて、常時、冷水あるいは温水の状態で利用できるようにした、構造の簡易なウォーターサーバに関する。
【背景技術】
【０００２】  ウォーターサーバは、その上部に比較的大型の１０Ｌ〜２０Ｌ程度の飲用水が入ったタンクを載せ、冷水の出るコック及び温水の出るコックを備えてあり、常時、冷水あるいは温水を利用できるようになっている。そして、タンク内の飲用水を消費した後、ウォーターサーバ上部から空のタンクを外し、そこに飲用水入りタンクを設置することで、ウォーターサーバは、常時、冷水あるいは温水を利用することができるようになっている。【０００３】  しかしながら、１０Ｌ〜２０Ｌの水入りタンクは、少なくとも１０Ｋｇ〜２０Ｋｇ以上あるから、そのタンクをウォーターサーバ上部に設置することは、成人男子であれば可能であるが、力の弱い婦女子や老人、あるいは子供では極めて困難である。【０００４】  このような観点から、天然水などの飲用水を２Ｌ〜４Ｌ程度入れたボトルを利用できるようにして、軽量にしたボトルを設置出来るようにしたウォーターサーバがある。このウォーターサーバは、図１３に示すように、キャップ５０をアダプター５１の導入部５２のキャップ取付凹部５２ａ内に導入し嵌め込み、この導入部５２に設けた突起５３を、キャップ５０における第２凹部５４側の付勢ピン５５の先端部５５ａを押し込むように当接することにより、巻きバネ５６の付勢に反して第３凹部５７側へ摺動し、これにより、円形ゴム５８が第３凹部５７端部から離れ、軽量にしたボトル６０内の飲用水が、導水孔５９を通りアダプター５１の導入部５２内に入り、さらに、アダプター５１の流路部６１に設けたボールバルブ６２により流量を制御しつつ、ウォーターサーバ内の冷水タンクあるいは温水タンクへ飲用水を供給するようにしたものである。（例えば、特許文献１参照）。
【先行技術文献】
【特許文献】
【０００５】
【特許文献１】  特開２０１１−２１３４１１号公報
【考案の概要】
【考案が解決しようとする課題】
【０００６】  特許文献１のものは、軽量な２Ｌ〜４Ｌ程度の飲用水入りのボトルを利用できるようにした点で良い。しかしながら、ボトル６０の口部に取り付けるキャップ５０は、第１凹部５７と第２凹部５４とを仕切る中底部分に、付勢ピン５５、円形ゴム５８、導水孔５９及び巻きバネ５６などからなる、ボトル６０内の飲用水をウォーターサーバ内へ供給するための開閉機構があるから、構造が複雑となってコスト高になり、それゆえ、このキャップ５０は、繰り返し使用することになって、かなりの頻度で汚れや水垢に対処する必要性が出て来る。【０００７】  その上、アダプター５１における導入部５２の剥き出しのキャップ取付凹部５２ａに、キャップ５０を取り付けたボトル６０を導入し嵌め込む構造であるため、ボトル６０の交換時や、キャップ取付凹部５２ａにボトル６０を導入し嵌め込んでいない場合などで、突起５３やその周辺のキャップ取付凹部５２ａに空気中に浮遊している塵や細菌が付着し、それら付着した塵や細菌がウォーターサーバ内に混入する虞がある。【０００８】  また、この特許文献１のものは、ボトル６０内の飲用水の流量を制御するため、アダプター５１の流路部６１内に制御機構、すなわち、ボールバルブ６２を設けているので、この制御機構の構造により、ボトル６０の設置本数が限られたものになる虞がある。【０００９】  そこで、本考案の目的は、飲用水入りのボトルを複数でも使用可能にして、少量の飲用水入りのボトルは必然的に軽量であり、しかも下部に装着するからその交換を容易にし、キャップの構造を単純にして低コストにする共に、ボトル内の飲用水がウォーターサーバ内に入る系統を、無菌状態に保持でき、その上、ボトル内の飲用水をウォーターサーバに供給する際の構造を単純にして、ボトルの設置本数も容易に増やせるようにした、ウォーターサーバを提供することにある。
【課題を解決するための手段】
【００１０】  本考案は、上記目的を達成するために提案されたものであって、下記の構成からなることを特徴とするものである。
すなわち、本考案によれば、上部に冷水タンクおよびその冷水用コックと温水タンクおよびその温水用コックとを有し、下部に水ストレージ部を有して、該水ストレージ部から飲用水をポンプにて、上部の前記冷水タンクおよび前記温水タンクに供給してなるウォーターサーバにおいて、前記水ストレージ部は、市販の飲用水を収容したボトルを複数着脱自在に装着するボトルホルダーと、複数の前記ボトルから飲用水を前記ポンプにて、前記冷永タンクおよび前記温水タンクに供給する際、前記ボトルに外気を進入させるエアーインテークユニットと、を装備してなり、前記エアーインテークユニットは、上流から下流にかけて順次、ダストフィルター、飲用水の逆流防止用の逆止弁、深紫外線ＬＥＤ殺菌灯を有しいて、外気のダストおよび菌類を除去した清浄外気を、前記ボトル内に進入させて、飲用水と置換することで、前記ポンプにて、飲用水を前記冷水タンクおよび前記温水タンクに供給出来るようにしたことを特徴とするウォーターサーバが提供される。【００１１】  また、本考案によれば、前記ボトルホルダーは、市販の飲用水を収容している前記ボトルの口部に着脱自在であり、且つ天板に閉塞状態を保持できる易挿通部を有したボトルキャップと、該ボトルキャップを着した前記ボトルの口部を装着でき、且つエアー進入孔および水導入孔付の気液同軸ボトルインナーを底部に貫通した状態で立設してなるボトル装着部を、複数有したホルダー本体と、でなり、前記ボトル装着部に前記ボトルキャップを着した状態の前記ボトルの口部を装着して、前記ボトルキャップの前記易挿通部に前記気液同軸ボトルインナーを挿通したあと、前記ポンプを作動することで、前記エアー進入孔から前記エアーインテークユニットを通過してなる清浄外気を、前記ボトル内に進入させつつ、前記水導入孔から前記ボトル内の飲用水を、前記気液同軸ボトルインナー内に導入して、これを経由して前記冷水タンクおよび前記温水タンクに、供給出来るようにしたウォーターサーバが提供される。【００１２】  また、本考案によれば、前記気液同軸ボトルインナーの前記エアー進入孔の位置は、前記水導入孔よりも高く、且つ前記エアー進入孔と前記水導入孔とは設定距離以上相互に離して、互いに干渉しないようにしたウォーターサーバが提供される。【００１３】  また、本考案によれば、前記気液同軸ボトルインナーに、これに着脱自在であり且つ前記エアー進入孔と前記水導入孔とを密封するキャップを嵌めてなり、前記ボトル装着部の前記気液同軸ボトルインナーにボトルを装着しない場合に、前記気液同軸ボトルインナーの汚染を防止すると共に、エアーの吸引および他のボトル装着部に装着しているボトルからの飲用水の回り込みを防止するウォーターサーバが提供される。【００１４】  上記第１の課題解決手段による作用は次の通りである。すなわち、下部にある水ストレージ部のボトルホルダーに複数のボトルを装着した後、ポンプを作動させて、複数のボトル内の飲用水を冷水タンクおよび温水タンクに供給する。その際、エアーインテークユニットのダストフィルター、逆止弁、深紫外線ＬＥＤ殺菌灯により照射した深紫外線を外気が通り、その外気中のダストおよび菌類を除去され殺菌されて、清浄外���が複数のボトル内に導入されることで、飲用水と置換されて、飲用水を冷水タンクおよび温水タンクに供給出来る。その後、冷水用コックあるいは温水用コックを開き、冷水あるいは温水を使用すると、再びポンプが作動して、複数のボトル内の飲用水とエアーインテークユニットを通過した清浄外気とが置換され、冷水タンクおよび温水タンクに飲用水が補充される。複数のボトル内の飲用水がすべて消費されたら、下部にある水ストレージ部のボトルホルダーに空の複数のボトルを外し、飲用水入りのボトルをボトルホルダーに装着して、再び上記の操作を繰り返す。【００１５】  上記第２の課題解決手段による作用は、ボトルの口部に元々着してある固有のキャップを外し、その口部にボトルキャップを着して、その状態のボトルキャップをホルダー本体のボトル装着部に装着し、気液同軸ボトルインナーをボトルキャップの易挿通部に挿通してボトル内に挿入する。この状態でポンプを作動すると、エアーインテークユニットを通過した清浄外気を気液同軸ボトルインナーのエアー進入孔からボトル内に進入させつつ、水導入孔からボトル内の飲用水を、気液同軸ボトルインナー内に導入して、ボトル内の飲用水と清浄外気とを置換しながら、ボトル内の飲用水を冷水タンクおよび温水タンクに供給する。【００１６】  上記第３の課題解決手段による作用は、飲用水入りのボトル内に気液同軸ボトルインナーを挿入し、水導入孔より高く且つ設定距離以上相互に離れた位置にあるエアー進入孔から、ボトル内にエアーインテークユニットを通過した清浄外気を進入させると、エアー進入孔より低く且つ設定距離以上相互に離れた位置にある水導入孔から、エアー進入孔と水導入孔とが互いに干渉することなく、ボトル内の飲用水を気液同軸ボトルインナー内に導入出来る。【００１７】  上記第４の課題解決手段による作用は、気液同軸ボトルインナーにボトルを装着しない場合に、気液同軸ボトルインナーにキャップを嵌め密封し、その汚染を防止すると共に、エアーの吸引および他のボトル装着部に装着しているボトルからの飲用水の回り込みを防止する。
【考案の効果】
【００１８】  本考案のウォーターサーバによれば、飲用水入りのボトルを複数でも使用可能にして、飲用水入りのボトルは必然的に軽量であり、しかも下部に装着するからその交換を容易にし、ボトル内の飲用水がウォーターサーバ内に入る系統を無菌状態に保持でき、その上、ボトル内の飲用水をウォーターサーバに供給する際の構造も単純にして、ボトルの設置本数も容易に増やせるように出来る効果がある。【００１９】  また、本考案のウォーターサーバによれば、上記した効果に加えて、一般に市販されている飲用水入りのボトルの口部に、本考案のボトルキャップを着替えし、その状態のボトルに、ボトル装着部の気液同軸ボトルインナーを、挿入するだけの簡単な操作で、より一層上記の効果を顕著にすることが出来る。【００２０】  また、本考案のウォーターサーバによれば、上記した効果に加えて、エアー進入孔から飲用水が入ることが無く、エアー進入孔と水導入孔とが干渉して、ポンプを作動させた際、先に水導入孔から清浄外気が混入することも無い効果がある。【００２１】  また、本考案のウォーターサーバによれば、上記した効果に加えて、気液同軸ボトルインナーにボトルを装着しない場合に、気液同軸ボトルインナーの汚染を防止すると共に、エアーの吸引および他のボトル装着部に装着しているボトルからの飲用水の回り込みを防止する効果がある。
【図面の簡単な説明】
【００２２】
【図１】本考案の実施の形態を示すウォーターサーバの正面図である。
【図２】本考案の実施の形態を示すウォーターサーバーのフローを示す系統図である。
【図３】水ストレージ部のフローを示す系統図である。
【図４】水ストレージ部におけるボトルホルダーの一構成要素であるボトルキャップをボトルに装着した状態の断面図である。
【図５】ボトルホルダーの一構成要素であるボトルキャップの斜視図である。
【図６】ボトルホルダーの一構成要素であるボトルキャップの斜視図である。
【図７】複数のボトル装着部を有したホルダー本体の斜視図である。
【図８】ボトル装着部に立設した気液同軸ボトルインナーの断面図である。
【図９】エアーインテークユニットの断面図である。
【図１０】エアーインテークユニットの着座リングの断面図である。
【図１１】ボトル装着部に立設した気液同軸ボトルインナーにキャップを嵌めた状態の断面図である。
【図１２】ボトル装着部に立設した気液同軸ボトルインナーにボトルキャップを、装着しボトル内に挿入した状態を示す断面図である。
【図１３】従来の水供給装置の要部の断面図である。
【考案を実施するための形態】
【００２３】  以下に、図面を参照して本考案を実施するための最良の形態を説明する。
【００２４】  図面において、１はウォーターサーバであり、このウォーターサーバ１は、外観が円筒形状をなし、その上部に冷水タンク２およびその冷水用コック３と温水タンク４およびその温水用コック５とを有し、下部に水ストレージ部６を有して、この水ストレージ部６から飲用水をポンプ７にて、上部の冷水タンク２および温水タンク４に供給してなるものであって、この水ストレージ部６は、市販の飲用水を収容したボトル８を複数着脱自在に装着するボトルホルダー９と、複数のボトル８から飲用水をポンプ７にて冷水タンク２および温水タンク４に供給する際、ボトル８に外気を進入させるエアーインテークユニット１０と、を装備してなり、そのエアーインテークユニット１０は、後に詳述するように、上流から下流にかけて順次、ダストフィルター１１、飲用水の逆流防止用の逆止弁１２、深紫外線ＬＥＤ殺菌灯１３（図９参照）を有しいて、外気のダストおよび菌類を除去し殺菌した清浄外気を、ボトル８内に進入させて、ボトル８内の飲用水と置換することで、ポンプ７にて、市販の飲用水を、冷水タンク２および温水タンク４に供給出来るようにしたものである。
【００２５】  前記冷水タンク２は、温水タンク４よりも高い位置にあり、冷水タンク２の底部から延びたパイプ２０により温水タンク４の底部に接続している。そして、冷水タンク２および温水タンク４は、公知の冷却機器および加熱機器により、飲用水を冷却および加熱して、それぞれに接続している冷水用コック３および温水用コック５から、冷水および温水を供給出来るようになっている。
【００２６】  前記水ストレージ部６は、既述のとおり、ボトルホルダー９と、このボトルホルダー９に装着した複数の小型ボトル８に、清浄外気を進入させるエアーインテークユニット１０と、を装備してなる。
【００２７】  前者のボトルホルダー９は、市販の飲用水を収容しているボトル８の口部８ａに着脱自在であり、且つ天板２１に閉塞状態を保持できる易挿通部２２を有したボトルキャップ２３と、このボトルキャップ２３を着したボトル８の口部８ａを装着でき、且つエアー進入孔２４ａよび水導入孔２４ｂ付の気液同軸ボトルインナー２４を底部２５Ａに貫通した状態で立設してなるボトル装着部２５を、複数有したホルダー本体２６と、でなる。
【００２８】  そして、この水ストレージ部６は、ホルダー本体２６のボトル装着部２５にボトルキャップ２３を着した状態のボトル８の口部８ａを装着すると、このボトルキャップ２３の易挿通部２２に気液同軸ボトルインナー２４を挿通して、ポンプ７を作動することで、エアー進入孔２４ａからエアーインテークユニット１０を通過した清浄外気を、ボトル８内に進入させつつ、水導入孔２４ｂからボトル８内の飲用水を、気液同軸ボトルインナー２４内に導入して、これを経由して冷水タンク２および温水タンク４に、供給出来るようにしたものである。
【００２９】  なお、ボトルキャップ２３の具体的な構造は、図４ないし６に示すように、外壁２３Ａと内壁２３Ｂとがあり、この内壁２３Ｂに対して小型ボトル８の口部８ａに着脱自在であり、その天板２１に孔２１ａが開けられ、この孔２１ａに上記した易挿通部２２が張られている。易挿通部２２には５本のスリット２２ａが切られ、これらスリット２２ａに気液同軸ボトルインナー２４を突き刺すことで、スリット２２ａを押し開き容易に挿通出来、スリット２２ａから気液同軸ボトルインナー２４を引き抜けば、スリット２２ａが閉じて閉塞状態を保持して、飲用水が漏れないようになっている（図１２参照）。なお、このボトルキャップ２３は、ボトル８の口部８ａのサイズに合わせる必要があるから、口部８ａのサイズが異なるボトル８を２種類以上使用する場合は、それぞれの口部８ａのサイズに合わせた内壁２３Ｂを有したボトルキャップ２３を用意する必要がある。また、このボトルキャップ２３の外壁２３Ａは、口部８ａのサイズが変わっても、内壁２３Ｂの径が変わるだけで、外壁２３Ａに変化がないので、内壁２３Ｂの径違いごとに色違いやマークを付けて、間違えを防止するのがよい。
【００３０】  後者のホルダー本体２６は、図３、図７に示すように、ボトル装着部２５を５つ有し、これらのボトル装着部２５のうち周りにあるのは、１．５Ｌ〜２．０Ｌの小型のボトル８用であり、それらの中央にあるのは、２．５Ｌ〜４．０Ｌの中型のボトル用である。小型のボトル８用のボトル装着部２５は、下部に円筒状穴２５ａとその上のコーン状穴２５ｂとにより形成され、中型のボトル用のボトル装着部２５は、円筒状穴２５ｃとその上部の面取り２５ｄとにより形成されている。これらボトル装着部２５に対する５つのボトルキャップ２３の装着状況は、緩すぎず且つ固すぎないのがよい。このようにすることで、ボトル装着部２５にボトルキャップ２３を着したボトル８を装着し易く、取り外し易く、それでいて水平方向に力が加わっても、外れて小型のボトル８や中型のボトル８が倒れたりしない。なお、小型のボトル８用のボトル装着部２５は、これにボトルキャップ２３を着した小型のボトル８を装着した際、下部の円筒状穴２５ａおよび上部のコーン状穴２５ｂにより、小型のボトル８の口部８ａばかりか、肩部８ｂによっても支持することになり、小型のボトル８の倒れを強く防止する。
【００３１】  前記ボトル装着部２５の前記気液同軸ボトルインナー２４は、既述のとおり、図８に示す底部２５Ａに貫通した状態で立設し、先端面にエアー進入孔２４ａおよび側壁面に水導入孔２４ｂを有いている。エアー進入孔２４ａは貫入パイプ２７に接続し、この貫入パイプ２７は、気液同軸ボトルインナー２４内を貫通して、エアーパイプ２８により前記エアーインテークユニット１０に接続している。また、気液同軸ボトルインナー２４の基端側の側壁面に水抜き孔２４ｃを設け、この水抜き孔２４ｃは、水パイプ２９により前記ポンプ７のサクション側に接続し、さらに、ポンプ７のデリバリ側に接続した水パイプ３０により冷水タンク２に接続している。
【００３２】  また、ホルダー本体２６の一角に開けた収納室３１内に、図７に示すように、エアーインテークユニット１０を設けてある。このエアーインテークユニット１０は、図９に示すように、筐体３２の上部入口内にダストフィルター１１が設けられ、その下流の筐体３２にシール用弁座３３が設けられて、さらに、石英ガラス管３４の上端部に設けた着座リング３５との間にボール状の逆止弁１２が遊嵌させてある。そして、この石英ガラス管３４の周りに、２基の深紫外線ＬＥＤ殺菌灯１３が上下に設けられている。この石英ガラス管３４の下端部には挿脱管３６が嵌められ、各気液同軸ボトルインナー２４に清浄外気を送るためのエアチャンバー３７の入口３７ａに、気密状態を保持した状態で挿入且つ挿脱出来るようになっている。なお、エアチャンバー３７の出口３７ｂからエアーパイプ３８によって、各気液同軸ボトルインナー２４の貫入パイプ２７に、清浄外気を供給することになる
【００３３】  前記ダストフィルター１１は、医療用無菌フィルターであり、外気中に浮遊しているダストおよび菌類を除去するものである。前記逆止弁１２は、シール用弁座３３と着座リング３５との間に遊嵌し、通常、着座リング３５に着座していて、この着座リング３５には４つの突起３５ａがあるから、逆止弁１２は４つの突起３５ａに当接し、着座リング３５の非突起部分との間に隙間３５ｂが出来、その隙間３５ｂからダストフィルター１１を通過した外気が通る。一方、逆流して飲用水が逆流してこれらの間に侵入した場合、逆止弁１２はボール状であるから浮き上がり、シール用弁座３３に着座して飲用水を止め、上流のダストフィルター１１や、これを越えて外部に流出することがない。
【００３４】  また、前記石英ガラス管３４は、なるべく細いものがよく、その理由は、細いと、２基の深紫外線ＬＥＤ殺菌灯１３から照射された深紫外線が、石英ガラス管３４内を通る外気により近い状態で照射することになって、深紫外線による高速殺菌の能力を最大限に発揮出来るからである。因みに、深紫外線による殺菌能力は、距離の２乗に反比例するので、距離が半分になれば、深紫外線が外気に照射する強さが４倍となり、逆に、距離が２倍になれば、深紫外線が外気に照射する強さが１／４倍となる。
【００３５】  そして、前記収納室３１の上面周囲に水切り用突起３８を設け、且つ、この水切り用突起３８上にシール用Ｏリング３９を嵌めて、その上に前記エアーインテークユニット１０を載置してシール出来るようにすると共に、着脱出来るようになっている。この水切り用突起３８は、ホルダー本体２６に水がかぶったりしても、直ちに収納室３１に水が入ることを阻止すると共に、シール用Ｏリング３９によりその防水性を完全にしている。なお、図９中、４０は給電器であり、深紫外線ＬＥＤ殺菌灯１３に給電する。
【００３６】  図１０は、前記ボトル装着部２５からボトル８を外したあと、剥き出しになった前記気液同軸ボトルインナー２４に、キャップ４１を嵌めた状態を示すものである。このキャップ４１は、気液同軸ボトルインナー２４に対して、着脱自在であり、且つ、前記エアー進入孔２４ａと前記水導入孔２４ｂとを、シールリング４２により密封するするものであって、気液同軸ボトルインナー２４にボトル８を装着していない場合に、気液同軸ボトルインナー２４の汚染を防止すると共に、外気の吸引および他のボトル装着部２５に装着しているボトル８からの飲用水の回り込みを防止するためのものである。
【００３７】  次に、上記構成になるウォーターサーバ１の使用状況を説明する。
ウォーターサーバ１に装着したい市販の飲用水入り小型のボトル８を、少なくとも４本用意し、さらに、中央にある中型のボトル用のボトル装着部２５にも中型のボトル８を装着したい場合には、市販の飲用水入り中型のボトル８を少なくとも１本用意し、さらに、これらに装着するボトルキャップ２３を用意する。次に、４本の小型のボトル８および１本の中型のボトル８に元々着してある固有のキャップを外して、これらの口部８ａと同サイズのボトルキャップ２３を着する。そして、ウォーターサーバ１の下部にある扉１４を開け、各ボトル装着部２５の気液同軸ボトルインナー２４に嵌めてあるキャップ４１を外して、ボトル８に着したボトルキャップ２３を下向きにして、ボトル装着部２５に装着すると、気液同軸ボトルインナー２４は、ボトルキャップ２３の易挿通部２２のスリット２２ａを押し開き挿通して、ボトル８内に挿入する（図１２参照）。複数のボトル装着部２５にボトル８をすべて装着し終わったら、扉１４を閉じる。
【００３８】  そして、前記ポンプ７を作動させて、ボトル８内の飲用水を上部の冷水タンク２および温水タンク４に供給するが、そのためには、ボトル８内に外気を導入して、飲用水と置換させなければならない。したがって、外気は、清浄化されているのが望ましく、ポンプ７を作動させて、ボトル８内の飲用水を冷水タンク２および温水タンク４に供給するのに伴って、外気がエアーインテークユニット１０内に入り、まず、ダストフィルター１１により、外気中に浮遊しているダストおよび菌類を除去し、次いで、逆止弁１２を通過した外気が石英ガラス管３４内に入り通過する過程で、２基の深紫外線ＬＥＤ殺菌灯１３から照射された深紫外線により、外気を高速殺菌して清浄外気とする。この清浄外気を、エアーチャンバー３７を通じて、各ボトル装着部２５における気液同軸ボトルインナー２４のエアー進入パイプ２７に入れ、そのエアー進入孔２４ａから清浄外気をボトル８内に進入させつつ、水導入孔２４ｂからボトル８内の飲用水を気液同軸ボトルインナー２４内に導入して、ボトル８内の飲用水と清浄外気とを置換させながら、飲用水をパイプ２９、ポンプ７およびパイプ３０を通して、上部の冷水タンク２および温水タンク４に供給することができる。
【００３９】  冷水タンク２および温水タンク４にボトル８内の飲用水を供給し終わったら、ポンプ７を停止し、冷水タンク２および温水タンク４の冷却機器および加熱機器により、飲用水を冷却および加熱して、いつでも冷水用コック３および温水用コック５から、冷水および温水として供給出来るようにする。冷水用コック３および温水用コック５から飲用水を冷水および温水として供給し消費すると、飲用水が減るから、その分を上記した手順にて、ボトル８内の飲用水を、冷水タンク２および温水タンク４内に補充する。
【００４０】  ボトル８内の飲用水が無くなったら、ウォーターサーバ１の下部にある扉１４を開け、空のボトル８をボトル装着部２５から外し、その口部８ａからボトルキャップ２３を外す。そして、新に用意した飲用水入りのボトル８の口部８ａから、元々着している固有のキャップを外し、その口部８ａに既に外してあるボトルキャップ２３を着する。上記した手順にてボトル８に着したボトルキャップ２３を下向きにして、ボトル装着部２５に装着して行き、扉１４を閉じる。なお、飲用水入りのボトル８の本数が不足して、ボトル８を装着していないボトル装着部２５には、図１１に示すように、剥き出しになった気液同軸ボトルインナー２４にキャップ４１を嵌め、その汚染を防止すると共に、外気の吸引および他のボトル装着部２５に装着しているボトル８からの飲用水の回り込みを防止する。
【００４１】  なお、空のボトル８は、ボトルキャップ２３を付けたまま捨てても良いし、ボトルキャップ２３を再利用しても良く、利用者の選択による。ただし、衛生上の観点からは、ボトルキャップ２３の使い捨てが望ましい。このボトルキャップ２３は、構造上低コストが期待できるから、利用者に対しては使い捨てを進めるのがベターである。
【００４２】  以上、本考案の実施例を説明したが、具体的な構成はこれに限定されず、本考案の要旨を逸脱しない範囲での変更は適宜可能であることは理解されるべきである。
【産業上の利用可能性】
【００４３】  本考案のウォーターサーバは、飲用水入りのボトルを複数でも使用可能にし、交換を容易にし、キャップ構造を単純にして低コストにし、ボトル内の飲用水が冷水タンクおよび温水タンク内に入る系統を、無菌状態且つ構造を単純にして、ボトルの設置本数を増やしたいような場合に、その利用可能性が極めて高くなる。
【符号の説明】
【００４４】１                        ウォーターサーバ
２                        冷水タンク
３                        冷水用コック
４                        温水タンク
５                        温水用コック
６                        水ストレージ部
７                        ポンプ
８、６０                  ボトル
８ａ                      口部
８ｂ                      肩部
９                        ボトルホルダー
１０                      エアーインテークユニット
１１                      ダストフィルター
１２                      逆止弁
１３                      深紫外線ＬＥＤ殺菌灯
１４                      扉
２０                      パイプ
２１                      天板
２１ａ                    孔
２２                      易挿通部
２２ａ                    スリット
２３                      ボトルキャップ
２３Ａ                    外壁
２３Ｂ                    内壁
２４                      気液同軸ボトルインナー
２４ａ                    エアー進入孔
２４ｂ                    水導入孔
２４ｃ                    水抜き孔
２５                      ボトル装着部
２５Ａ                    底部
２５ａ、２５ｃ            円筒状穴
２５ｂ                    コーン状穴
２５ｄ                    面取り
２６                      ホルダー本体
２７                      貫入パイプ
２８                      エアーパイプ
２９、３０                水パイプ
３１                      収納室
３２                      筐体
３３                      シール用弁座
３４                      石英ガラス
３５                      着座リング
３６                      挿脱管
３７                      エアチャンバー
３８                      水切り用突起
３９                      シール用Ｏリング
４０                      給電器
４１、５０                キャップ
４２                      シールリング
５１                      アダプター
５２                      導入部
５２ａ                    キャップ取付凹部
５３                      突起
５４                      第２凹部
５５                      付勢ピン
５５ａ                    先端部
５６                      巻きバネ
５７                      第３凹部
５８                      円形ゴム
５９                      導水孔
６１                      流路部
６２                      ボールバルブ
【図１】
0003181180.tif 000003
【図２】
0003181180.tif 000004
【図３】
0003181180.tif 000005
【図４】
0003181180.tif 000006
【図５】
0003181180.tif 000007
【図６】
0003181180.tif 000008
【図７】
0003181180.tif 000009
【図８】
0003181180.tif 000010
【図９】
0003181180.tif 000011
【図１０】
0003181180.tif 000012
【図１１】
0003181180.tif 000013
【図１２】
0003181180.tif 000014
【図１３】
0003181180.tif 000015